(57)【特許請求の範囲】
【請求項１】
ベースの上面に突設した対向する一対の支持体の内側面にガイド溝を上下方向に設け、このガイド溝に電磁石ブロックのヨークの側端面を上方から挿入して組み付けた電磁継電器において、
前記ヨークの側端面に係合突部を突設する一方、前記ガイド溝の上方側に連通するスリットを設けて形成した一対の切り出し片のうち、少なくとも一方側の切り出し片を前記ヨークの板厚方向に弾性変形可能に形成するとともに、一方側の切り出し片に、前記係合突部を板厚方向に押圧する押圧突起を形成する一方、残る他方側の切り出し片に、前記ヨークの係合突部に係止して抜け止めする係止爪を形成したことを特徴とする電磁継電器。
【発明の詳細な説明】
【０００１】
【発明の属する技術分野】
本発明は電磁継電器、特に、ベースに対するヨークの組立構造に関する。
【０００２】
【従来の技術】
従来、電磁継電器のベースに対するヨークの組立構造としては、例えば、図３ないし図５に示すように、ベース１０の一方側に可動接触片１１および固定接触片１２を立設する一方、ベース１０の他方側に、略く字形の可動鉄片１３をヒンジばね１４を介して回動可能に支持した電磁石ブロック２０を立設した後、前記可動接触片１１の上端部と前記可動鉄片１３の上端部との間にカード１５を架け渡したものがある。なお、１６はケースカバーである。
【０００３】
前記電磁石ブロック２０は、コイル２１を巻回したスプール２２の中心孔２２ａに断面略Ｔ字形状の鉄芯２３を挿入し、突出する下端部を磁極２３ａとする一方、突出する上端部２３ｂに略Ｌ字形状のヨーク２４の水平部をカシメ固定したものである。このヨーク２４は、図４に示すように、その垂直部の側端面にガイド突部２４ａおよび係合突部２４ｂがそれぞれ形成されている。
【０００４】
また、前記電磁石ブロック２０は、略く字形の可動鉄片１３をヒンジばね１４を介して前記ヨーク２４の垂直下端部に回動可能に支持してあるので、可動鉄片１３の下端部が前記鉄芯２３の磁極部２３ａに接離可能に対向している。
【０００５】
一方、図４および図５に示すように、前記ベース１０の上面縁部に一対の支持体１７，１７が対向するように突設され、この支持体１７の内側面にガイド溝１７ａが上下方向にそれぞれ形成され、さらに、このガイド溝１７ａに連通する係合孔１７ｂが設けられている。
【０００６】
したがって、このベース１０に前記電磁石ブロック２０を取り付ける場合には、前記支持体１７のガイド溝１７ａにヨーク２４のガイド突部２４ａを挿入し、支持体１７の係合孔１７ｂにヨーク２４の係合突部２４ｂを係合して抜け止めしていた。
なお、図４および図５には、説明の便宜上、ベース１０とヨーク２４だけを図示してある。
【０００７】
そして、電磁石ブロック２０のコイル２１に電圧を印加，解除することにより、可動鉄片１３が回動し、これに伴って往復移動するカード１５を介して可動接触片１１が回動し、可動接点１１ａが固定接点１２ａに接離していた。
【０００８】
【発明が解決しようとする課題】
しかしながら、前述の電磁継電器では、図５に示すように、支持体１７のガイド溝１７ａに対するヨーク２４の挿入を容易にするため、ガイド溝１７ａと可動鉄片１３との間に間隙Ｄが形成されていた。このため、組立精度が低く、ベース１０に組み付けた電磁石ブロック２０に若干のガタツキがあったので、動作特性にバラツキが生じるという問題点があった。
【０００９】
本発明は、前記問題点に鑑み、組立精度が高く、動作特性にバラツキが生じない電磁継電器を提供することを目的とする。
【００１０】
【課題を解決するための手段】
本発明にかかる電磁継電器は、前記目的を達成するため、ベースの上面に突設した対向する一対の支持体の内側面にガイド溝を上下方向に設け、このガイド溝に電磁石ブロックのヨークの側端面を上方から挿入して組み付けた電磁継電器において、
前記ヨークの側端面に係合突部を突設する一方、前記ガイド溝の上方側に連通するスリットを設けて形成した一対の切り出し片のうち、少なくとも一方側の切り出し片を前記ヨークの板厚方向に弾性変形可能に形成するとともに、一方側の切り出し片に、前記係合突部を板厚方向に押圧する押圧突起を形成する一方、残る他方側の切り出し片に、前記ヨークの係合突部に係止して抜け止めする係止爪を形成した構成としたものである。
【００１１】
【発明の実施の形態】
次に、本発明にかかる一実施形態を図１および図２の添付図面に従って説明する。
本実施形態にかかる電磁継電器は、従来例にかかる電磁継電器のベース１０の支持体１７を除き、従来例と同一である。ただし、説明の便宜上、図１および図２には、ベース１０およびヨーク２４だけを図示している。
すなわち、ベース１０の支持体１７には、従来例と同様なガイド溝１７ａが形成されているが、ガイド溝１７ａの上方側には、これに連通するスリット１７ｃが形成されている。このスリット１７ｃを設けて形成される切り出し片１８，１９のうち、切り出し片１８の内側面には、ヨーク２４の係合突部２４ｂに圧接して板厚方向に押圧する押圧突起１８ａが形成されている。一方、切り出し片１９の内側面には、前記係合突部２４ｂに係止して抜け止めする係止爪１９ａが設けられている。
【００１２】
したがって、前記支持体１７のガイド溝１７ａにヨーク２４のガイド突部２４ａを挿入して押し下げると、押圧突起１８ａが係合突部２４ｂに圧接し、ヨーク２４を板厚方向に付勢し、ついで、係止爪１９ａが係合突部２４ｂに係止し、抜け止めする。他は前述の従来例と同様であるので、説明を省略する。
【００１３】
本実施形態によれば、挿入したヨーク２４の係合突部２４ｂに押圧突起１８ａが圧接すると、前記押圧突起１８ａを設けた切り出し片１８が外方に弾性変形する。このため、挿入の際の摩擦抵抗が小さくなり、組立作業が容易になる。
また、挿入後においても、前記切り出し片１８の押圧突起１８ａがヨーク２４の係合突部２４ｂを反対側の切り出し片１９に常時押し付けているので、電磁石ブロック２０にガタツキが生じないという利点がある。
【００１４】
【発明の効果】
以上の説明から明らかなように、本発明にかかる請求項１の電磁継電器によれば、支持体に設けた押圧突起がヨークの側端面に設けた係合突部に圧接し、ヨークを板厚方向に押圧する。このため、ヨークからなる電磁石ブロックがベースにガタツキなく位置決めされる。この結果、組立精度が向上し、動作特性にバラツキが生じない。
また、ベースの支持体に設けたスリットに、ヨークの側端面に突設した係合突部を圧入すると、少なくともいずれか一方の切り出し片が外方に弾性変形する。このため、摩擦抵抗が小さくなり、組み付け作業が容易になる。この結果、ガイド溝，スリットの寸法精度を厳しく管理する必要がなくなり、部品の製造が容易になる。
さらに、電磁石ブロックのガタツキを防止できるだけでなく、支持体に設けた係止爪がヨークを抜け止めするので、ワンタッチで組立作業が完了し、生産性が向上するという効果がある。
【図面の簡単な説明】
【図１】  本願発明にかかる電磁継電器のヨークの組立方法を示す斜視図である。
【図２】  図１で示したヨークの組立後を示し、図（ａ）は斜視図であり、図（ｂ）は部分拡大図である。
【図３】  従来例にかかる電磁継電器を示す断面図である。
【図４】  図３に示したヨークの組立方法を示す斜視図である。
【図５】  ヨークの組立後を示し、図（ａ）は斜視図であり、図（ｂ）は部分拡大図である。
【符号の説明】
１０…ベース、１７…支持体、１７ａ…ガイド溝、１７ｃ…スリット、１８，１９…切り出し片、１８ａ…押圧突起、１９ａ…係止爪、２０…電磁石ブロック、２４…ヨーク、２４ａ…ガイド突部、２４ｂ…係合突部。
【図１】
0003646408.tif 000002
【図２】
0003646408.tif 000003
【図３】
0003646408.tif 000004
【図４】
0003646408.tif 000005
【図５】
0003646408.tif 000006